(57)【要約】      （修正有）【課題】タオルホルダーのロッド体に狭置されるように供し、液体容器の使用がより便利になり、且つ敷設時に、より美観になり且つ装飾の効果を有する液体容器を提供する。【解決手段】液体容器に関するもので、円球状を呈する本体を一つ含み、本体の前端には、プレッシャーバーを接続する釈放ノズルを一つ設け、且つ本体の底縁に一つ以上の挟持部を設け、後縁に突出耳部を一つ設けることにより、突上げ部を一つ軸接するように供し、これにより鳥類に類似する容器を一つ構成する。本体内にシャンプー，ボディーソープ又は洗顔クリーム等の液体を注入でき、且つ挟持部によりタオルホルダーのロッド体に挟置され、更に突上げ部により壁面に突き上げられ、位置決めを構成し、使用時に釈放ノズルを押さえ付けて内容物の液体を釈放し、ひいては使用時に液体容器がより便利になり、且つ空間をより節約し、更に繰り返して利用でき、環境保護の目的を達成する。【選択図】図１
0003162310.tif 000002
【実用新案登録請求の範囲】
【請求項１】
液体容器は、円球状を呈する一つの本体と、一つの突上げ部とを含むが、本体は、その前端が漸次縮小の頸部を呈した後に、端部にプレッシャーバーを接続する釈放ノズルを一つ設け、且つ底縁に一つ以上の挟持部を設け、突上げ部は、該本体の後縁に軸接され、且つ俯仰角度を調整でき、これにより鳥類に類似する容器を一つ構成し、本体内にシャンプー，ボディーソープ又は洗顔クリーム等の液体を注入し、底縁の該挟持部によりタオルホルダーのロッド体に挟置され、且つ該突上げ部により壁面に突き上げられ、位置決めを構成し、使用時に該釈放ノズルを押さえ付けて内容物の液体を釈放し、ひいては液体容器の使用がより便利になり、更に敷設時に、より美観になり且つ装飾の効果を更に有することが出来ることを特徴とする、液体容器。
【請求項２】
該挟持部は、円環状を呈し且つ適当な弾性を有することを特徴とする、請求項１に記載の液体容器。
【請求項３】
該本体の後縁に対称の突出耳部を設け、該突出耳部の上にスクリュー孔を設け、該突上げ部が長片状を呈し、該突上げ部の一端に嵌設部を設け、且つ該嵌設部に固定孔を一つ設けることにより、嵌設部が該突出耳部に嵌設された後に、ボルトにより該スクリュー孔と該固定孔を穿設して該突上げ部を錠定し、該ボルトの弛緩と締付により、該突上げ部の俯仰角度を調整することを特徴とする、請求項１に記載の液体容器。
【考案の詳細な説明】
【技術分野】
【０００１】
本考案は、液体容器に関するもので、特にタオルホルダーのロッド体に挟置でき、ひいては使用時に液体容器がより便利になり、且つ空間をより節約し、更に繰り返して利用でき、環境保護の目的を達成し、且つ敷設時に、より美観になり且つ装飾の効果を更に有する液体容器の構造を、指す。
【背景技術】
【０００２】
故に、一般にシャンプー，ボディーソープ又は洗顔クリーム等の液体を容置するように供する容器は、通常異なる形状の瓶体となるように設けられ、瓶体の頂端にプレッシャーバーを接続する釈放ノズルを一つ設け、使用時に釈放ノズルを押さえ付けて内容物の液体を釈放する。該等周知の容器は、ただ平台または卓面のみに放置できるので、固定装置が不足するだけではなく、使用上では比較的不便になり且つ空間を占有し、使用後に投げ捨てて環境汚染となり、更に装飾の効果を有しなくて特に好ましくない。出願人は、この点に鑑み、つまり該業務に従事する多年の経験を持って継続的な研究・実験を経て、遂に改良しようと思うが、液体容器の使用がより便利になり、且つ装飾の効果を兼備有すると期待する。
【考案の概要】
【考案が解決しようとする課題】
【０００３】
本考案の主要な目的は、即ち液体容器の改良構造を提供し、タオルホルダーのロッド体に挟置されるように供し、液体容器の使用がより便利になり、且つ敷設時に、より美観になり且つ装飾の効果を更に有するものである。
【課題を解決するための手段】
【０００４】
これに基づき、本考案は、液体容器を提供し、該液体容器が、円球状を呈する本体を一つ含み、本体の前端には、プレッシャーバーを接続する釈放ノズルを一つ設け、本体の底縁に一つ以上の挟持部を設け、後縁に突上げ部を一つ設けることにより、鳥類に類似する容器を一つ構成する。故に本体内にシャンプー，ボディーソープ又は洗顔クリーム等の液体を注入し、挟持部によりタオルホルダーのロッド体に挟置され、且つ突上げ部により壁面に突き上げられ、位置決めを構成し、使用時に釈放ノズルを押さえ付けて内容物の液体を釈放し、ひいては液体容器の使用がより便利になり、更に敷設時に、より美観になり且つ装飾の効果を更に有する。
【０００５】
前述液体容器の本体後縁に、突出耳部を設け、該突上げ部が一端に嵌設部を設けることにより、嵌設部が突出耳部の後ろに嵌設され、ボルトにて錠定されるが、従ってボルトの弛緩と締付により、タオルホルダーのロッド体と壁面とのピッチに対応し、該突上げ部の角度を調整する。
【図面の簡単な説明】
【０００６】
【図１】本考案の斜視図である。
【図２】本考案の突出耳部と突上げ部の斜視分解図である。
【図３】本考案の使用の実施例図である。
【図４】本考案の他の使用の実施例図である。
【考案を実施するための形態】
【０００７】
同時に図1と図２を参照し、図に示すように、本考案は、主として円球状の本体1を一つ設け、本体1の前端が漸次縮小の頸部を呈した後に、端部にプレッシャーバー11を接続する釈放ノズル12を一つ設け、本体1の底縁に一つ以上の挟持部13を設け、本実施例中に、該等挟持部13が円環状を呈し且つ適当な弾性を有するが、該本体1の後縁に対称の突出耳部14を設け、突出耳部14にスクリュー孔141と長片状の突上げ部15を設け、該突上げ部15の一端に嵌設部16を設け、且つ該嵌設部16に固定孔161を設けることにより、嵌設部16が本体1の突出耳部14に嵌設された後に、ボルト17によりスクリュー孔141と固定孔161を穿設して該突上げ部15を錠定し、ボルト17の弛緩と締付により、該突上げ部15の俯仰角度を調整できるが、前述部材の組合せにより、鳥類に類似する容器を一つ構成する。故に本体1の内にシャンプー，ボディーソープ又は洗顔クリーム等の液体を注入し、底縁の挟持部13によりタオルホルダーのロッド体に挟置され、且つ突上げ部15により壁面に突き上げられ、位置決めを構成し、使用時に釈放ノズル12を押さえ付けて内容物の液体を釈放し、ひいては液体容器の使用がより便利になり、更に敷設時に、鳥類に類似する形態により、比較的美観になり且つ装飾の効果を更に有することが出来る。
【０００８】
図3を参照し、これが本考案の使用の実施例図である。図に示すように、本考案は、使用時に、本体1の内にシャンプー，ボディーソープ又は洗顔クリーム等の液体を注入し、底縁の挟持部13によりタオルホルダーのロッド体2に挟置され、且つ突上げ部15により壁面3に突き上げられ、位置決めを構成する。その中でも、該挟持部13が適当な弾性を有するが、従って異なる管径のロッド体2に対応して緊密に挟置でき、使用時に釈放ノズル12を押さえ付けて内容物の液体を釈放し、押さえ付ける時に突上げ部15が壁面3に突き上げられ、従って本体1は、押さえ付けにより沈下または揺動を招くことがなく、液体容器の使用がより便利になる。
【０００９】
図4を参照し、これが本考案の他の使用の実施例図である。図に示すように、全てのタオルホルダーのロッド体2と壁面3との距離が全く同じではないので、使用時に、本考案は異なるピッチに基づいて該本体1の後縁の突出耳部14のボルト17をより弛緩した後に、該突上げ部15の角度を調整し、更に締付してタオルホルダーのロッド体2と壁面3とのピッチに対応できる。
【００１０】
前記を総合し、本考案は、挟持部13を設ける本体1にて、角度を調整できる突上げ部15に対応し、鳥類に類似する液体容器を構成することにより、タオルホルダーのロッド体2に挟置されるように供し、液体容器の使用がより便利になり、且つ敷設時に、より美観になり且つ装飾の効果を更に有する。前述の実施例は、ただ本考案を説明するためのより好ましい実施方式だけで、そして本考案の範囲を限定するものではなく、何れも僅かな潤色と変更を経ても、依然として本考案の大切な意味を失わず、更に本考案の精神範囲をも脱逸しない。
【符号の説明】
【００１１】
1  本体
2  ロッド体
3  壁面
11  プレッシャーバー
12  釈放ノズル
13  挟持部
14  突出耳部
15  突上げ部
16  嵌設部
17  ボルト
141  スクリュー孔
161  固定孔
【図１】
0003162310.tif 000003
【図２】
0003162310.tif 000004
【図３】
0003162310.tif 000005
【図４】
0003162310.tif 000006